(57)【要約】  本発明は、セルフサービス洗濯機の制御方法、端末及びシステムを提供する。前記方法は、周囲の少なくとも一つの洗濯機の位置情報と状態情報を出力すること（１１０）と、使用者により選択された目標洗濯機を取得すること（１２０）と、サーバへ、前記使用者により入力された目標時間帯と前記目標洗濯機の標識を含む予約請求を送信することで、サーバが前記目標洗濯機をスケジューリングして前記目標時間帯に前記使用者に対して洗濯機能を提供すること（１３０）と、前記サーバからフィードバックされた予約結果を受信し出力すること（１４０）と、を含む。使用者がセルフサービス洗濯機に到着する前に、端末で洗濯機に対して予約を行うことができる。予約が成功した場合、使用者は、予約した目標時間帯に洗濯機でセルフサービス洗濯を行うことができ、使用しやすく、セルフサービス洗濯の効率を向上させる。【選択図】図３
2018524719.tif 000002
【特許請求の範囲】
【請求項１】
端末に適用されるセルフサービス洗濯機の制御方法であって、
周囲の少なくとも一つの洗濯機の位置情報と状態情報を出力することと、
使用者により選択された目標洗濯機を取得することと、
サーバへ、前記使用者により入力された目標時間帯と前記目標洗濯機の標識を含む予約請求を送信することで、サーバが前記目標洗濯機をスケジューリングして前記目標時間帯に前記使用者に対して洗濯機能を提供することと、
サーバからフィードバックされた予約結果を受信し出力することと、を含む、ことを特徴とする制御方法。
【請求項２】
周囲の少なくとも一つの洗濯機の位置情報と状態情報を出力する前に、
前記使用者の位置情報を取得することと、
前記サーバへ、前記端末の位置情報が所持されている洗濯機の位置及び状態取得請求を送信することと、
前記サーバからフィードバックされた、前記使用者周囲の前記少なくとも一つの洗濯機の位置情報と状態情報を含む洗濯機位置状態応答情報を受信することとを含む、ことを特徴とする請求項１に記載のセルフサービス洗濯機の制御方法。
【請求項３】
サーバへ予約請求を送信した後、
使用者がオンライン決済を選択すると、支払提示情報を出力することと、
使用者が前記支払提示情報に基づいて入力した支払情報を受信することと、
前記支払情報を前記サーバに送信することとを更に含む、ことを特徴とする請求項１に記載のセルフサービス洗濯機の制御方法。
【請求項４】
サーバへ予約請求を送信する前に、前記方法は、
周囲の少なくとも一つの洗濯機の機能情報、価格情報のうちの少なくとも一つの情報を取得して出力することと、
周囲の少なくとも一つの洗濯機の機能情報を取得して出力する際、使用者が前記機能情報に基づいて入力した、前記目標洗濯機を洗濯させるように制御するための機能パラメータを受信することと、
前記機能パラメータを前記サーバに送信することで、前記サーバが前記機能パラメータに基づいて前記目標洗濯機をスケジューリングして洗濯させることと、を更に含む、ことを特徴とする請求項１〜３のいずれか一項に記載のセルフサービス洗濯機の制御方法。
【請求項５】
前記サーバからフィードバックされた予約結果を受信し出力した後、
使用者からの検証指令を受信することと、
前記検証指令を前記サーバに送信することで、前記サーバが前記目標洗濯機に合致する目標検証情報を生成することと、
洗濯機により表示された検証情報を取得することと、
前記検証情報を前記サーバに送信することで、前記サーバは前記検証情報が目標洗濯機に合致するか否かを検証することと、
サーバからフィードバックされた検証結果を受信することと、を更に含む、ことを特徴とする請求項４に記載のセルフサービス洗濯機の制御方法。
【請求項６】
周囲の少なくとも一つの洗濯機の位置情報と状態情報を出力するための洗濯機位置情報出力手段と、
使用者により選択された目標洗濯機を取得するための目標洗濯機取得手段と、
サーバへ、使用者により入力された目標時間帯と前記目標洗濯機の標識を含む予約請求を送信することで、サーバが前記目標洗濯機をスケジューリングして前記目標時間帯に前記使用者に対して洗濯機能を提供するための予約請求送信手段と、
前記サーバからフィードバックされた予約結果を受信するための予約結果受信手段と、
前記予約結果受信手段により受信された前記予約結果を出力するための予約結果出力手段と、を含む、ことを特徴とする端末。
【請求項７】
前記使用者の位置情報を取得するための使用者位置取得手段と、
前記サーバへ、前記端末の位置情報が所持されている洗濯機位置取得請求及び洗濯機状態取得請求を送信するための洗濯機位置状態請求手段と、
前記サーバからフィードバックされた、前記使用者周囲の前記少なくとも一つの洗濯機の位置情報と状態情報とを含む洗濯機位置応答情報を受信するための洗濯機位置状態受信手段と、を更に含む、ことを特徴とする請求項６に記載の端末。
【請求項８】
使用者がオンライン決済を選択すると、支払提示情報を出力するための支払提示出力手段と、
使用者が前記支払提示出力手段により出力された前記支払提示情報に基づいて入力した支払情報を受信するための支払情報受信手段と、
前記支払情報受信手段により受信された前記支払情報を前記サーバに送信するための支払情報送信手段と、を更に含む、ことを特徴とする請求項６に記載の端末。
【請求項９】
周囲の少なくとも一つの洗濯機の機能情報、価格情報のうちの少なくとも一つを取得して出力するための洗濯機の他の情報取得手段と、
周囲の少なくとも一つの洗濯機の機能情報を取得して出力する場合、使用者が前記機能情報に基づいて入力した、前記目標洗濯機を洗濯させるように制御するための機能パラメータを受信するための機能パラメータ受信手段と、
前記機能パラメータ受信手段により受信された前記機能パラメータを前記サーバに送信することで、前記サーバが前記機能パラメータに基づいて前記目標洗濯機をスケジューリングして洗濯させるための機能パラメータ送信手段と、
使用者からの検証指令を受信するための検証指令受信手段と、
前記検証指令を前記サーバに送信することで、前記サーバが前記目標洗濯機に合致する目標検証情報を生成するための検証指令送信手段と、
洗濯機により表示された検証情報を取得するための洗濯機検証情報取得手段と、
前記洗濯機検証情報取得手段により取得された前記検証情報を前記サーバに送信することで、前記サーバは前記検証情報が目標洗濯機に合致するか否かを検証するための検証情報送信手段と、を更に含む、ことを特徴とする請求項６〜８のいずれか一項に記載の端末。
【請求項１０】
請求項６〜９のいずれか一項に記載の端末、サーバ及び少なくとも一つの洗濯機を含む、ことを特徴とするセルフサービス洗濯機の制御システム。
【発明の詳細な説明】
【技術分野】
【０００１】
本発明は、電気製品の制御技術に関し、特にセルフサービス洗濯機の制御方法、端末及びシステムに関する。
【背景技術】
【０００２】
洗濯機技術の急速な発展に伴い、公用セルフサービス洗濯機も次第に普及してきた。使用者が、自分の衣類をセルフサービス洗濯機内に投入し、コイン又はスワイプで支払いを完了した後、セルフサービス洗濯機は投入された衣類を洗濯し、洗濯完了後に洗濯機から衣類を取り出すことで、セルフサービス洗濯を実現することができる。
【０００３】
しかしながら、セルフサービス洗濯機の使用者の増加に伴い、使用者がセルフサービス洗濯機に到着した際には、セルフサービス洗濯機が他人に使用されていたり、損壊していたりし、セルフサービス洗濯機を使用することができないことがある。このような場合、使用者は、他のセルフサービス洗濯機を再度探すか、又は自分で洗濯しなければならないため、使用者に不便をもたらすという問題が出てくる。
【発明の概要】
【０００４】
本発明は、使用者が衣類を洗濯機に運ぶ前に、洗濯機の動作状態を知ることができることにより、使用者が衣類を洗濯機まで持ち込んだ際に、洗濯機が使用者に対してセフルサービス洗濯の機能の提供を保証するセルフサービス洗濯機の制御方法、端末及びシステムを提供する。
【０００５】
第一の態様として、本発明の実施例において、端末に適用されるセルフサービス洗濯機の制御方法が提供される。前記方法は、
周囲の少なくとも一つの洗濯機の位置情報と状態情報を出力することと、
使用者により選択された目標洗濯機を取得することと、
サーバへ、前記使用者により入力された目標時間帯と前記目標洗濯機の標識を含む予約請求を送信することで、サーバが前記目標洗濯機をスケジューリングして前記目標時間帯に前記使用者に対して洗濯機能を提供することと、
前記サーバからフィードバックされた予約結果を受信し出力することと、を含む。
【０００６】
第二の態様として、本発明の実施例において、サーバに適用されるセルフサービス洗濯機の制御方法が提供される。前記方法は、
端末により送信された、使用者により入力された目標時間帯と目標洗濯機の標識を含む予約請求を受信することと、
前記目標洗濯機が前記目標時間帯にアイドル状態であると、前記端末へ予約成功情報を送信することと、
前記目標洗濯機へ、前記目標洗濯機が目標時間帯に前記使用者に対して洗濯機能を提供することを制御するための制御情報を送信することと、を含む。
【０００７】
第三の態様として、本発明の実施例において、目標洗濯機に適用されるセルフサービス洗濯機の制御方法が更に提供される。前記方法は、
サーバにより送信された、目標時間帯を含む制御情報を受信することと、
前記目標時間帯に使用者から投入された衣類を洗濯することと、を含む。
【０００８】
第四の態様として、本発明の実施例において、端末が更に提供される。前記端末は、
周囲の少なくとも一つの洗濯機の位置情報と状態情報を出力するための洗濯機位置情報出力手段と、
使用者により選択された目標洗濯機を取得するための目標洗濯機取得手段と、
サーバへ、使用者により入力された前記目標時間段と前記目標洗濯機の標識を含む予約請求を送信することで、サーバが前記目標洗濯機をスケジューリングして前記目標時間帯に前記使用者に対して洗濯機能を提供するための予約請求送信手段と、
前記サーバからフィードバックされた予約結果を受信するための予約結果受信手段と、
前記予約結果受信手段により受信された前記予約結果を出力するための予約結果出力手段と、を含む。
【０００９】
第五の態様として、本発明の実施例において、サーバが更に提供される。前記サーバは、
端末により送信された、使用者により入力された目標時間帯と目標洗濯機の標識を含む予約請求を受信するための予約請求受信手段と、
前記目標洗濯機が前記目標時間帯にアイドル状態であると、前記端末へ予約成功情報を送信するための予約結果送信手段と、
前記目標洗濯機へ、前記目標洗濯機を制御して目標時間帯に前記使用者に対して洗濯機能を提供するために用いられる制御情報を送信するための制御情報送信手段と、を含む。
【００１０】
第六の態様として、本発明の実施例において、目標洗濯機としての洗濯機が更に提供される。前記洗濯機は、
サーバにより送信された、目標時間帯を含む制御情報を受信するための制御情報受信手段と、
前記目標時間帯に使用者から投入された衣類を洗濯するための洗濯手段と、を含む。
【００１１】
第七の態様として、本発明の実施例において、第四の態様に係る端末、第五の態様に係るサーバ及び少なくとも一つの第六の態様に係る洗濯機を含むセルフサービス洗濯機の制御システムが更に提供される。
【００１２】
本発明の実施例において、使用者は、端末により出力された周囲の少なくとも一つの洗濯機の位置情報から、目標洗濯機として一つの洗濯機を選定した後、端末がサーバへ予約請求を送信し、予約が成功した場合、サーバが目標洗濯機をスケジューリングして使用者により入力された目標時間帯内に使用者に対して洗濯機能を提供する。従来技術では、使用者がセルフサービス洗濯機に到着すると、セルフサービス洗濯機が他人に使用されていたり、損壊していたりして、セルフサービス洗濯機を使用できないことがあった。これに対し、本発明は、使用者がセルフサービス洗濯機に到着する前に、端末で洗濯機に対して予約を行う。予約が成功した場合、使用者は予約した目標時間帯に洗濯機でセルフサービス洗濯を行うことができ、使いやすく、セルフサービス洗濯の効率を向上させる。
【図面の簡単な説明】
【００１３】
【図１】図１は本発明の実施例１に係るセルフサービス洗濯機の制御方法のフローチャートである。
【図２】図２は本発明の実施例２に係る１番目のセルフサービス洗濯機の制御方法のフローチャートである。
【図３】図３は本発明の実施例２に係る２番目のセルフサービス洗濯機の制御方法のフローチャートである。
【図４】図４は本発明の実施例２に係る３番目のセルフサービス洗濯機の制御方法のフローチャートである。
【図５】図５は本発明の実施例２に係る４番目のセルフサービス洗濯機の制御方法のフローチャートである。
【図６】図６は本発明の実施例３に係るセルフサービス洗濯機の制御方法のフローチャートである。
【図７】図７は本発明の実施例４に係る１番目のセルフサービス洗濯機の制御方法のフローチャートである。
【図８】図８は本発明の実施例４に係る２番目のセルフサービス洗濯機の制御方法のフローチャートである。
【図９】図９は本発明の実施例４に係る３番目のセルフサービス洗濯機の制御方法のフローチャートである。
【図１０】図１０は本発明の実施例４に係る４番目のセルフサービス洗濯機の制御方法のフローチャートである。
【図１１】図１１は本発明の実施例５に係るセルフサービス洗濯機の制御方法のフローチャートである。
【図１２】図１２は本発明の実施例６に係るセルフサービス洗濯機の制御方法のフローチャートである。
【図１３】図１３は本発明の実施例６に係る別のセルフサービス洗濯機の制御方法のフローチャートである。
【図１４】図１４は本発明の実施例７に係る１番目の端末の構造模式図である。
【図１５】図１５は本発明の実施例７に係る２番目の端末の構造模式図である。
【図１６】図１６は本発明の実施例７に係る３番目の端末の構造模式図である。
【図１７】図１７は本発明の実施例７に係る４番目の端末の構造模式図である。
【図１８】図１８は本発明の実施例７に係る５番目の端末の構造模式図である。
【図１９】図１９は本発明の実施例７に係る６番目の端末の構造模式図である。
【図２０】図２０は本発明の実施例８に係る１番目のサーバの構造模式図である。
【図２１】図２１は本発明の実施例８に係る２番目のサーバの構造模式図である。
【図２２】図２２は本発明の実施例８に係る３番目のサーバの構造模式図である。
【図２３】図２３は本発明の実施例８に係る４番目のサーバの構造模式図である。
【図２４】図２４は本発明の実施例８に係る５番目のサーバの構造模式図である。
【図２５】図２５は本発明の実施例８に係る６番目のサーバの構造模式図である。
【図２６】図２６は本発明の実施例８に係る７番目のサーバの構造模式図である。
【図２７】図２７は本発明の実施例９に係る１番目の洗濯機の構造模式図である。
【図２８】図２８は本発明の実施例９に係る２番目の洗濯機の構造模式図である。
【図２９】図２９は本発明の実施例９に係る３番目の洗濯機の構造模式図である。
【図３０】図３０は本発明の実施例９に係る４番目の洗濯機の構造模式図である。
【図３１】図３１は本発明の実施例１０に係るセルフサービス洗濯機の制御システムの構造模式図である。
【発明を実施するための形態】
【００１４】
以下、図面と実施例を参照しながら、本発明を更に詳しく説明する。ここで記載された具体的な実施例は、本発明を解釈するためのものに過ぎず、本発明を限定するものではないと理解すべきである。なお、説明をしやすくするために、図面において、全ての構造ではなく、本発明に関する部分しか示されていない。
【００１５】
実施例１
図１は本発明の実施例１に係るセルフサービス洗濯機の制御方法のフローチャートである。本実施例は、使用者が端末によってセルフサービス洗濯機に対して予約を行う情況に適用可能であり、当該方法は、端末により実行されてもよく、具体的に下記ステップを含む。
【００１６】
ステップ１１０、周囲の少なくとも一つの洗濯機の位置情報と状態情報を出力する。
そのうち、位置情報は、洗濯機の座標情報であり、座標情報は、（緯度、経度）の構造で記録される。状態情報は、現在洗濯機が洗濯していることを示す動作状態、現在洗濯機に故障があることを示す故障状態や、洗濯機がアイドルであることを示すアイドル状態を含む。
【００１７】
少なくとも一つの洗濯機は、端末周囲の全ての洗濯機であってもよく、端末の現在位置から予め設定された距離（例えば５００メートル又は１キロメートル）離れている洗濯機であってもよく、洗濯機の機能（例えば脱水可能や蒸気洗濯可能な洗濯機）に基づいて表示可能である。
【００１８】
洗濯機の位置情報を出力する形態は、リストで表示されるものであってもよく、地図において洗濯機の座標に対応する領域に洗濯機のアイコンが表示されるものであってもよい。更に、音声再生の形態で、使用者に対して周囲の洗濯機の数及び位置が提示されてもよい。
【００１９】
ステップ１２０、使用者により選択された目標洗濯機を取得する。
使用者は、クリックなどの形態で出力された少なくとも一つの洗濯機から、目標洗濯機を選択する。目標洗濯機は、使用者が衣類を洗濯するために用いられることを望ましい洗濯機である。
【００２０】
ステップ１３０、サーバへ予約請求を送信する。
そのうち、前記予約請求は、前記使用者により入力された目標時間帯と前記目標洗濯機の標識を含むことで、サーバが前記目標洗濯機をスケジューリングして前記目標時間帯に前記使用者に対して洗濯機能を提供する。
【００２１】
目標時間帯とは、使用者が望む目標洗濯機を使用したい時間帯である。使用者は、目標洗濯機を選択した後、選定時刻を目標時間帯の開始時間として、当該開始時間と予め設定された時間（例えば３０分）との和を、目標時間帯の締め切り時間として確定することが可能となる。この際に行った予約は、即時予約と呼ばれてもよい。或いは、目標時間帯提示インターフェースを表示させ、使用者により入力された開始時間と締め切り時間を受信し、開始時間と締め切り時間に基づいて目標時間帯を確定する。
【００２２】
ステップ１４０、前記サーバからフィードバックされた予約結果を受信し出力する。
前記サーバからフィードバックされた予約成功情報を受信すると、予約成功提示情報を出力する。例えば、「予約成功。所定時間内に選択した洗濯機にお越しください」などを出力する。
【００２３】
前記サーバからフィードバックされた予約失敗情報を受信すると、予約失敗提示情報を出力する。例えば「予約失敗。再度ご予約ください」などを出力する。
【００２４】
本発明の実施例に係る技術態様において、使用者がセルフサービス洗濯機に到着する前に、端末で洗濯機に対して予約を行うことができる。予約が成功した場合、使用者は、予約した目標時間帯に洗濯機でセルフサービス洗濯を行うことが可能となり、使用しやすく、セルフサービス洗濯の効率を向上させる。
【００２５】
実施例２
端末は、サードパーティアプリケーション（例えば電子地図など）によって周囲の洗濯機の位置情報を取得することができる。サードパーティアプリケーションが洗濯機の位置情報に対する取得をサポートできない場合、本発明の実施例において、セルフサービス洗濯機の制御方法が提供され、実施例１について更に説明するために用いられる。図２に示すように、周囲の少なくとも一つの洗濯機の位置情報と状態情報を出力するステップ１１０の前に、下記ステップを更に含む。
【００２６】
ステップ１０１、使用者の位置情報を取得する。
使用者の位置情報は、例えば、全地球測位システム（Ｇｌｏｂａｌ  Ｐｏｓｉｔｉｏｎｉｎｇ  Ｓｙｓｔｅｍ、ＧＰＳ）などの測位ソフトウェアにより取得可能である。位置に基づくサービス（Ｌｏｃａｔｉｏｎ  Ｂａｓｅｄ  Ｓｅｒｖｉｃｅｓ、ＬＢＳ）を使用可能である。位置に基づくサービスとは、通信モバイルオペレータの無線通信ネットワーク（例えばＧＳＭ（登録商標）ネットワーク、ＣＤＭＡネットワーク）または外部測位形態（例えば全地球測位システム（Ｇｌｏｂａｌ  Ｐｏｓｉｔｉｏｎｉｎｇ  Ｓｙｓｔｅｍ、ＧＰＳ））によりモバイル端末使用者の位置情報（地理座標や、大地座標）を取得し、地理情報システム（ＧＩＳ、Ｇｅｏｇｒａｐｈｉｃ  Ｉｎｆｏｒｍａｔｉｏｎ  Ｓｙｓｔｅｍ、ＧＩＳ）プラットホームのサポートにより、使用者に対して相応するサービスを提供する付加価値サービスである。
【００２７】
ステップ１０２、サーバへ、端末の位置情報が所持されている洗濯機位置取得請求を送信する。
【００２８】
サーバは、１台の洗濯機を設置するごとに、当該洗濯機の位置情報を記録することになる。端末は、その周囲の洗濯機の情況を取得しようとすると、サーバにより検索することができる。端末が自身の位置情報を位置取得請求によってサーバに送信した後、サーバは、当該位置情報周囲の洗濯機情報を検索する。
【００２９】
ステップ１０３、サーバからフィードバックされた、使用者周囲の少なくとも一つの洗濯機の位置情報を含む洗濯機位置応答情報を受信する。
【００３０】
端末は、洗濯機位置取得請求を送信した後、サーバからフィードバックされた洗濯機位置応答情報を傍受する。洗濯機位置応答情報を傍受したと、それに対して復号を行い、その中に所持されている少なくとも一つの洗濯機の位置情報を取得することで、後続に出力しやすくなる。
【００３１】
本発明の実施例に係る技術態様において、サーバによって端末周囲の少なくとも一つの洗濯機の位置情報を取得することができることで、後続に出力しやすくなる。サーバによって洗濯機の位置情報を取得することは、サードパーティアプリケーションによる影響を受けないため、洗濯機の位置情報を取得する信頼性を向上させる。
【００３２】
使用者は、目標洗濯機を予約する以外、支払によって洗濯機の使用権を取得する必要がある。支払形態は、オンライン決済とスワイプ決済を含み、支払形態を表示することによってダイアログを選択し、使用者に対して支払形態を選択することを提示する。本発明の実施例において、オンライン決済を行うことができるセルフサービス洗濯機の制御方法が提供され、スワイプ決済については後続で詳しく説明する。図３に示すように、サーバへ予約請求を送信するステップ１３０の後、下記ステップを更に含む。
【００３３】
ステップ１３１、使用者がオンライン決済を選択すると、支払提示情報を出力する。
支払提示情報は、例えば「決済アカウント及びパスワードをご入力ください」というものである。支払手順は、従来の技術態様を参照可能であり、ここでは、一つの実現形態のみで説明するが、全ての遠隔支払が実現可能な技術態様は、本態様に適用することが可能である。
【００３４】
ステップ１３２、使用者が支払提示情報に基づいて入力した支払情報を受信する。
支払提示情報は、例えば決済アカウント及びパスワードを入力するというものである。
【００３５】
支払情報をサーバに送信するステップ１３３。
本発明の実施例に係る技術態様において、端末で目標洗濯機の使用権に対して支払を行うことで、洗濯機の排他性（支払を行った使用者でしか使用できない）を保証し、使用者の安全を向上させることができる。
【００３６】
使用過程において、発明者は、使用者に対して周囲の洗濯機の位置情報しか提供できないと、洗濯機が濯ぎのみで乾燥をサポートしておらず、使用者がちょうど衣類を乾燥させたい場合、使用者はセルフサービス洗濯機を使用した後でしか洗濯機が乾燥できないことに気づけず、使用者に不便をもたらすという問題、或いは、使用者は５元だけでセルフサービス洗濯を行おうとするが、洗濯機の使用料金が１０元であり、洗濯機の使用料金を知ることができない前提で支払を行う場合、支払時に使用者が予想した料金を超える情況が現れるという問題を見つけた。これに基づき、本発明の実施例においてセルフサービス洗濯機の制御方法が更に提供され、上述した実施例を更に説明するために用いられる。サーバへ予約請求を送信するステップ１３０の前に、上述した方法は下記ステップを更に含む。
【００３７】
周囲の少なくとも一つの洗濯機の機能情報、価格情報のうちの少なくとも一つを取得して出力する。
【００３８】
機能情報は、洗濯機の実行可能な機能、例えば、濯ぎ、乾燥、蒸気洗濯などである。機能情報は、例えば、日常洗濯（例えば濯ぎ＋乾燥合計４０分）、快速洗濯（例えば濯ぎ＋乾燥合計１７分）などの多種の機能を結合する洗濯形態を更に含む。価格情報は、各機能に対応する価格である。濯ぎ、乾燥などの単一機能は、例えば濯ぎ１元／分ごとに、料金控除を行う。多種の機能を結合した場合、例えば、日常洗濯１５元／回ごとに、料金控除を行う。
【００３９】
本実施例に係る技術態様において、使用者が目標洗濯機を選択する前に、使用者に対して各洗濯機の機能情報と価格情報を提供できることで、使用者は洗濯機の位置、状態、機能及び価格を明確に理解した後、目標洗濯機を選択することができ、目標洗濯機の有効性を向上させる。
【００４０】
更に、使用者に洗濯機の機能パラメータを出力した後、使用者は、例えば３０分後に、目標洗濯機で１０分乾燥することを予約するなどの自分のニーズに基づいて端末で予約を行う。上記効果を達成するために、本発明の実施例において、セルフサービス洗濯機の制御方法が更に提供され、上述した実施例を更に説明するために用いられる。図４に示すように、上記方法は下記ステップを更に含む。
【００４１】
ステップ１５０、周囲の少なくとも一つの洗濯機の機能情報を取得して出力する場合、使用者が前記機能情報に基づいて入力した機能パラメータを受信する。
【００４２】
そのうち、前記機能パラメータは前記目標洗濯機を洗濯させるように制御するために用いられる。機能パラメータは機能標識と当該機能に対応する使用時間帯とを含む。
【００４３】
使用者は、目標時間帯を複数の使用時間帯に分割することができ、各時間帯が一つの機能に対応する。例えば、目標時間帯が１時間である場合、使用者は、洗濯を２０分、乾燥を５分、蒸気洗濯を３０分に設置することができる。
【００４４】
ステップ１５１、前記機能パラメータをサーバに送信することで、前記サーバが前記機能パラメータに基づいて前記目標洗濯機をスケジューリングして洗濯させる。
【００４５】
サーバは、他の目標洗濯機間の通信チャンネルにより、端末により送信された機能パラメータを目標洗濯機に転送することで、目標洗濯機が機能パラメータに基づいて洗濯を行う。
【００４６】
本発明に係る技術態様において、使用者は、機能パラメータによって目標時間帯内の目標洗濯機の動作内容に対して設置することができることで、セルフサービス洗濯機が使用者のニーズに基づいてセルフサービス洗濯を行う可能であり、ユーザーエクスペリエンスを向上させる。
【００４７】
セルフサービス洗濯機の使用者数の向上に伴い、集中洗濯を実現するために、同一地点に複数台のセルフサービス洗濯機が配置されており、この際、地図に表示される位置情報に基づき、使用者により予約された目標洗濯機を精確に識別できない恐れがある。これに基づき、本発明の実施例において、セルフサービス洗濯機の制御方法が更に提供され、上述した事情を更に説明するために用いられる。図５に示すように、前記サーバからフィードバックされた予約結果を受信し出力するステップ１４０の後、下記ステップを更に含む。
【００４８】
ステップ１６０、使用者により送信された検証指令を受信する。
検証指令は、使用者が予約した後、探し出されたセルフサービス洗濯機が目標洗濯機であるか否かを確定するために用いられる。
【００４９】
ステップ１６１、前記検証指令を前記サーバに送信することで、前記サーバが前記目標洗濯機に合致する目標検証情報を生成する。
【００５０】
使用者が端末によって当該検証指令をサーバに送信することで、サーバは使用者が探し出されたセルフサービス洗濯機が目標洗濯機であるか否かを確認する必要があることを知る。サーバは、当該検証指令を受信した後、目標ディスプレイが検証情報を表示させるように制御する。
【００５１】
ステップ１６２、洗濯機に表示された検証情報を取得する。
使用者は周囲に検証情報が表示されている洗濯機を探すことができる際、１台以上の洗濯機に検証情報が表示されている場合、各洗濯機に対し、それぞれ、端末に有している画像取得機能、例えば二次元コード識別機能、バーコード識別機能などにより、洗濯機に表示された検証情報を取得するという操作を行う。好ましくは、検証情報が文字情報であり、例えば使用者名などが表示されている場合、使用者は手動で検証情報を読み取り、且つ検証情報を端末に入力することができる。この際、端末は、洗濯機に表示された検証情報を取得する。
【００５２】
ステップ１６３、前記検証情報を前記サーバに送信することで、前記サーバは前記検証情報が目標洗濯機に合致するか否かを検証する。
【００５３】
ステップ１６４、サーバからフィードバックされた検証結果を受信する。
検証情報が取得された洗濯機は目標洗濯機である場合、取得された検証情報がサーバに生成された目標検証情報と同一であり、この際、サーバから検証成功情報がフィードバックされる。そうでない場合、検証失敗情報がフィードバックされる。検証失敗情報である場合、使用者は、他の検証情報が表示されている洗濯機を探し続けて検証を行えばよい。
【００５４】
本実施例に係る技術態様において、その探し出された洗濯機が目標洗濯機であるか否かを確定するのに役に立つため、洗濯機に対する誤使用又は使用不可能を回避することができ、セルフサービス洗濯の信頼性を向上させる。
【００５５】
実施例３
図６は、本発明の実施例３に係るセルフサービス洗濯機の制御方法のフローチャートである。本実施例に係る方法は、サーバにより実行可能であり、具体的に下記ステップを含む。
【００５６】
ステップ２１０、端末により送信された、使用者により入力された目標時間帯と目標洗濯機の標識とを含む予約請求を受信する。
【００５７】
ステップ２２０、目標洗濯機が目標時間帯にアイドル状態であると、端末へ予約成功情報を送信する。
【００５８】
サーバは目標洗濯機が目標時間帯にアイドル状態であるか否かを判断する。洗濯機の状態は、故障状態、動作状態、及びアイドル状態を含む。洗濯機が使用者に予約された場合、サーバに洗濯機の被予約情報も記録されている。例えば、洗濯機ａは、時間帯ａ１（例えば１０：００〜１０：３０）に使用者Ａ１により予約され、時間帯ａ２（例えば１４：００〜１５：００）に使用者Ａ２により予約された。予約請求に所持されている目標時間帯が目標洗濯機の予約された時間帯と重なる場合、前記目標洗濯機は目標時間帯に非アイドルである。目標洗濯機の現在の状態が故障状態である場合、目標時間帯に目標洗濯機が正常に回復することを保証できないため、目標洗濯機が現在時刻以降の状態を非アイドル状態、即ち故障状態として確定する。
【００５９】
ステップ２３０、目標洗濯機へ、目標洗濯機が目標時間帯に使用者に対して洗濯機能を提供するための制御情報を送信する。
【００６０】
制御情報に制御標識、目標時間帯及び使用者標識が所持されていることで、目標洗濯機は当該情報が制御情報であることを確定した後、目標時間帯に当該使用者標識に対応する使用者に対して洗濯機能を提供することができる。
【００６１】
本実施例に係る技術態様において、サーバは端末により送信された予約請求を受信した後、目標洗濯機の状態を確認することができ、目標洗濯機が目標時間帯にアイドルである場合、目標洗濯機が目標時間帯に使用者に対して洗濯機能を提供するように制御し、使用者は目標洗濯機に対して予約を行うことができ、且つ予約が成功した場合、使用者は、当該目標時間帯に目標洗濯機の使用権を得ることができ、セルフサービス洗濯の信頼性を向上させ、ユーザーエクスペリエンスを向上させる。
【００６２】
実施例４
端末に対して各洗濯機の位置情報と状態情報を提供するために、本発明の実施例において、セルフサービス洗濯機の制御方法が更に提供され、上述した実施例を更に説明するために用いられる。図７に示すように、端末により送信された予約請求を受信するステップ２１０の前に、下記ステップを更に含む。
【００６３】
ステップ２０１、端末により送信された、前記端末の位置情報が所持されている洗濯機位置及び状態取得請求を受信する。
【００６４】
ステップ２０２、前記端末の位置情報に基づき、前記端末周囲の少なくとも一つの洗濯機の位置情報を確定する。
【００６５】
各洗濯機と端末との距離をそれぞれ算出する。洗濯機の位置情報をすべて端末に送信してもよく、距離に基づいて配列し、距離が予め設定された距離（例えば５００メートル又は１００メートルなど）以下の少なくとも一つの洗濯機の位置情報を端末に送信してもよい。
【００６６】
ステップ２０３、少なくとも一つの前記洗濯機の前記位置情報と状態情報を前記端末に送信する。
【００６７】
ステップ２０２で確定された少なくとも一つの洗濯機うちの各洗濯機の状態情報を取得する。この少なくとも一つの洗濯機の位置情報と状態情報を端末に送信する。
【００６８】
本実施例に係る技術態様において、サーバは、端末により送信された洗濯機位置及び状態取得請求に基づき、端末へ少なくとも一つの洗濯機の位置情報を送信することで、端末は、使用者に対して周囲洗濯機の位置と状態情報を提供することができることにより、端末はサードパーティソフトウェアを使用せずに各洗濯機の位置情報を取得することができ、位置情報の表示の信頼性を向上させる。
【００６９】
使用者は、現金がないか、又は集積回路（ｉｎｔｅｇｒａｔｅｄ  ｃｉｒｃｕｉｔ、ＩＣ）カードが消磁するなどの原因で支払を行わない可能性があり、この際、アイドル状態となる洗濯機があっても、使用者は依然として使用できない。これに基づき、本発明の実施例において、セルフサービス洗濯機の制御方法が更に提供され、上述した実施形態を更に説明するために用いられる。図８に示すように、前記目標洗濯機が前記目標時間帯にアイドル状態であると、前記端末へ予約成功情報を送信するステップ２２０の前に、下記ステップを更に含む。
【００７０】
ステップ２１１、前記使用者が前記端末にオンライン決済を選択すると、前記端末により送信された支払情報を受信する。
【００７１】
ステップ２１２、前記支払情報に基づき、支払処理を行う。
一つの実現形態において、支払情報に決済アカウントとパスワードが所持されている。サーバは、決済アカウントとパスワードの合理性と正確性を確認する。決済アカウントとパスワードとが合法的で正確である場合、決済アカウントから料金控除を行う。アカウントにおける残高が料金控除の金額より大きい場合、料金控除を行い、且つ料金控除が成功したことを確定する。
【００７２】
本実施例に係る技術態様において、サーバは端末により送信された決済情報を処理することができ、使用者は、端末とサーバによって、目標洗濯機に対して遠隔で予約と料金の支払を行い、使用権を確定することができ、使用者はネットワークを通じての支払形態により費用を支払うことが可能となる。
【００７３】
使用者はＩＣカードで支払を行うことができる場合、下記形態で支払を行うこともできる。前記目標洗濯機が前記目標時間帯にアイドル状態であると、前記サーバへ予約成功情報を送信するステップ２２０の前に、下記ステップを更に含む。
【００７４】
前記使用者が前記端末においてスワイプ決済を選択すると、前記目標洗濯機へ前記使用者に関する目標カードの標識を送信する。
【００７５】
使用者が直接目標洗濯機でスワイプ決済（一般的はＩＣカードで決済を行う）を行うため、サーバが目標洗濯機へ前記使用者に関する目標カードの標識を送信しなければならず、目標洗濯機は、目標カードの標識に基づいてスワイプを行った使用者が当該目標洗濯機を予約した使用者であるか否かを確定することが可能となる。
【００７６】
本実施例に係る技術態様において、サーバは使用者がスワイプ決済を選択する時に、使用者がＩＣカードで支払いができるように、目標洗濯機に対して当該使用者に関連する目標カードの標識を通知する。更に、使用者に対してより多くの支払形態を提供することで、使用者は、ネットワークで支払うことができない場合、目標洗濯機でスワイプ支払を行うことが可能となり、ユーザーエクスペリエンスを向上させる。
【００７７】
端末は、使用者に対して周囲洗濯機の状態情報と位置情報を提供する以外に、周囲洗濯機の機能情報と価格情報を提供する場合、相応に、端末により送信された予約請求を受信するステップ２１０の前に、下記ステップを更に含む。
【００７８】
目標領域における少なくとも一つの洗濯機の位置情報と、機能情報、価格情報のうちの少なくとも一つの情報とを取得する。
【００７９】
洗濯機の機能情報は、洗濯機によってサーバに送信されてもよく、サーバによってインターネットで検索されてもよい。価格情報は、洗濯機により提供された機能及び洗濯機のブランドなどの要素に基づいて確定され、具体的な定価は、使用ニーズに基づいて確定されてもよく、独立した洗濯機の機能情報とブランドなどの要素を参照せずに、定価を統一してもよい。
【００８０】
本実施例に係る技術態様において、サーバは洗濯機の機能情報及び／又は価格情報を取得することができ、更に、使用者は、端末によってサーバから各洗濯機の機能情報及び／又は価格情報を取得することができることで、自分のニーズに相応しい目標洗濯機を正確に選択することができる。
【００８１】
端末が使用者に対して各洗濯機の機能パラメータを出力した後、使用者には機能パラメータに基づいて具体的な洗濯内容をカスタムするニーズが生成され、これに基づき、本発明の実施例において、セルフサービス洗濯機の制御方法が更に提供される。上述した実施形態を更に説明するために、図９に示すように、目標洗濯機へ制御情報を送信するステップ２３０の前に、下記ステップを更に含む。
【００８２】
ステップ２２１、前記端末により送信された機能パラメータを受信する。
ステップ２２２、前記機能パラメータを前記目標洗濯機に送信することで、前記目標洗濯機が前記機能パラメータに基づいて洗濯する。
【００８３】
本実施例に係る技術態様において、使用者は機能パラメータに基づいてカスタムを行い、且つカスタム結果を機能パラメータの形態でサーバに送信し、サーバは機能パラメータを目標洗濯機に転送し、更に、目標洗濯機を当該機能パラメータに基づいて洗濯させるように制御することで、使用者は洗濯手順に対して遠隔でカスタムを行うことができる。
【００８４】
複数台のセルフサービス洗濯機が集中して置かれた場合、使用者が予約した洗濯機を探し出すことを可能にするために、本発明の実施例においてセルフサービス洗濯機の制御方法が更に提供される。図１０に示すように、目標洗濯機へ制御情報を送信するステップ２３０の後、下記ステップを更に含む。
【００８５】
ステップ２４０、端末により送信された検証指令を受信する。
ステップ２５０、目標洗濯機に合致する目標検証情報を生成する。
【００８６】
目標洗濯機の洗濯機標識に基づいて目標検証情報を生成可能であり、例えば所定の公式から洗濯機標識に対応する目標検証情報を算出する。
【００８７】
ステップ２６０、端末により送信された検証情報を受信する。
ステップ２７０、検証情報が目標検証情報と同一であるか否かを判断する。
【００８８】
受信された検証情報がステップ２５０に生成した目標検証情報と同一である場合、検証は成功である。そうでない場合、同一ではない場合、検証は失敗する。
【００８９】
ステップ２８０、判断結果を端末に送信する。
本実施例に係る技術態様において、サーバは、使用者により送信された検証情報と目標検証情報を比較することができ、更に、その探し出された洗濯機が予約された目標洗濯機であるか否かを確定するのに役立つため、使用者は正確な洗濯機を探し出して洗濯を行うことができる。
【００９０】
実施例５
本発明の実施例に係る目標洗濯機に適用されるセルフサービス洗濯機の制御方法において、本実施例及び他の実施例では、各洗濯機は、それぞれスワイプモジュールとコンピューター制御パネルとを含み、コンピューター制御パネルはデータを送受信し、及びスワイプモジュールと洗濯部材を動作させるように制御するために用いられる。洗濯機において、コンピューター制御パネルでしかデータ処理機能を有しないため、明細書に記載の洗濯機のデータ処理（データ送受信、データ比較、確認）に関するステップは、すべて洗濯機のコンピュータ制御パネルの処理ステップと認められる。図１１に示すように、前記方法は以下を含む。
【００９１】
ステップ３１０、サーバにより送信された、目標時間帯を含む制御情報を受信する。
ステップ３２０、前記目標時間帯に使用者から投入された衣類を洗濯する。
【００９２】
洗濯時に、使用者が目標洗濯機に設置した洗濯パラメータに基づいて洗濯を行ってもよく、サーバにより送信された機能パラメータに基づいて洗濯を行ってもよい。
【００９３】
本実施例に係る技術態様において、目標洗濯機は、サーバにより送信された制御情報に基づいて目標時間帯に使用者に対して洗濯機能を提供することができる。
【００９４】
実施例６
本発明の実施例において、セルフサービス洗濯機の制御方法が提供され、上述した実施例を更に説明するために用いられる。図１２に示すように、サーバにより送信された制御情報を受信するステップ３１０の前に、下記ステップを更に含む。
【００９５】
ステップ３０１、現地の位置情報を取得する。
現地（洗濯機）の位置情報は、洗濯機を設定する時に、手動で洗濯機に入力されてもよい。或いは、洗濯機にＧＰＳ測位モジュールが付加され、ＧＰＳ測位モジュールは、測位して洗濯機の位置情報を取得することができ、当該位置情報は、経度と緯度からなる情報である。
【００９６】
ステップ３０２、前記サーバへ前記位置情報を送信する。
ステップ３０３、前記洗濯機の動作状態に変更が生じた場合、変更された後の位置情報と状態情報を前記サーバに送信する。
【００９７】
動作状態の変化は、洗濯機位置の変化及び洗濯機の洗濯状態の変化とを含む。洗濯機が運ばれるか、又は移動される場合、洗濯機がサーバへ新たな位置を報知する必要があり、更に、サーバは洗濯機の移動後の位置を知ることができる。洗濯機が洗濯時に故障を発生し、その状態が動作状態から故障状態に変更した場合、洗濯機はサーバへ変更された後の状態（故障状態）を送信することで、サーバが調整を行い、使用者が故障した洗濯機を予約することを回避する。故障が排除された後、洗濯機は、サーバへ動作状態又はアイドル状態を送信することで、サーバは洗濯機の故障が排除されて新たな予約を受信できることを知る。
【００９８】
本実施例に係る技術態様において、洗濯機の動作状態に変更が生じた際にサーバに通知することができることで、サーバは使用者に対してその予約した洗濯機の動作状態を直ちに通知することができ、予約の信頼性を向上させる。
【００９９】
本発明の実施例において、セルフサービス洗濯機の制御方法が更に提供される。前記目標時間帯に使用者から投入された衣類を洗濯するステップ３２０の前に、下記何れか一つのステップを実行可能である。
【０１００】
１、サーバにより送信された機能パラメータを受信し、前記機能パラメータに基づいて洗濯を行う。
【０１０１】
２、使用者が前記目標洗濯機に入力した機能パラメータを受信し、前記機能パラメータに基づいて洗濯を行う。
【０１０２】
サーバにより送信された機能パラメータを受信する場合、使用者は端末によって機能パラメータを遠隔で設置することを実現することができる。
【０１０３】
使用者が現地で入力された機能パラメータを受信する際に、使用者から洗濯機の距離が非常に近い又はネットワーク速度が比較的遅い場合、使用者は目標洗濯機に機能パラメータを直接入力することができ、更に機能パラメータの設置形態を豊かにして、ユーザーエクスペリエンスを向上させる。
【０１０４】
更に、使用者がスワイプ決済を選択すると、目標洗濯機は下記形態で実行することができる。図１３に示すように、サーバにより送信された制御情報を受信するステップ３１０の後、下記ステップを更に含む。
【０１０５】
ステップ３１１、サーバにより送信された目標カードの標識を受信する。
ステップ３１２、前記目標カードのスワイプ情報を検出すると、前記目標カードに対して料金控除を行う。
【０１０６】
ステップ３１３、料金控除結果を前記サーバに送信することで、前記サーバは支払結果を端末に転送する。
【０１０７】
相応に、前記目標時間帯に使用者から投入された衣類を洗濯するステップ３２０は、下記形態で実行することができる。
【０１０８】
ステップ３２０、料金控除が成功すると、前記目標時間帯に使用者から投入された衣類を洗濯する。
【０１０９】
本実施例に係る技術態様において、ネットワーク速度が不良であるか、又は使用者が目標洗濯機に非常に近い場合、使用者が目標洗濯機でスワイプ支払を実現し、セルフサービス洗濯機の効率を向上させる。
【０１１０】
以下、幾つかの使用シーンを通じて、上述した実施例について具体的に説明する。
シーン１
使用者は、端末においてセルフサービス洗濯を管理するソフトウェアに登録し、当該ソフトウェアによって実施例１と実施例２に係る方法を実現し、ＬＢＳ地図で附近の洗濯機を検索できる。使用者は１台の洗濯機をクリックして洗濯機の関連情報を調べることができ、そのうち、関連情報は、洗濯機の位置情報、洗濯機の機能情報、洗濯価格、動作状態、故障状態、アイドル状態などを含む。洗濯機がアイドル状態である場合、使用者は予約を確定し、この際、当該洗濯機が目標洗濯機となる。予約する際に、使用者は当該目標洗濯機を使用しようとする目標時間帯を入力する。即時予約が成功した後、サーバは使用者へ予約成功情報を送信するとともに、目標洗濯機へ制御情報を送信する。一つの実施形態として、洗濯機はサーバから送信された制御情報を受信した後、本機のスワイプモジュールを使用不可能とするように制御し、当該機器が遠隔で予約されており、スワイプ予約できないと表明する。別の実施形態として、洗濯機はサーバにより送信された制御情報を受信した後、目標時間帯にそのスワイプモジュールを使用不可能とするように制御する。それと同時に、使用者は所定の時間（または予約した目標時間帯）内に衣類を洗濯機に投入し、且つオンラインで洗濯機の使用料金の決済に成功した後、サーバは洗濯機が洗濯を開始させるように制御する。そのうち、所定の時間は、経営者から洗濯機のサービス範囲に基づいてシステムバックグラウンドに設定され、好ましい所定の時間は使用者が衣類を洗濯機の近傍に持ち込んで洗濯機に投入するのに十分な時間を確保するとともに、オンライン決済を完成する。所定の時間に達し、使用者がオンラインで決済していない場合、システムは、使用者からの予約操作を自動的に取り消して、洗濯機をアイドル状態に設置し、洗濯機は、スワイプモジュールを使用可能状態に設置する。
【０１１１】
洗濯手順の実行が終了した後、洗濯機は自動的にアイドル状態に変更し、洗濯機のスワイプモジュールが使用可能状態に変わる。同時に当該状態をサーバに報知して、携帯電話クライアントによって遠隔予約されることが可能となる。
【０１１２】
洗濯機が故障した後、故障情報をサーバに自動的に送信してもよく、故障情報を経営者及びアフターセールススタッフに直接送信することで、直ちに処理されてもよい。使用者は、洗濯機の故障状態を見ることができ、即時予約及び予約順番待ちの操作を行うことができない。
【０１１３】
経営者は、サーババックグラウンドで洗濯機を管理し、洗濯機の動作状態、損益計算書を調べて、洗濯機の関連情報を修正することができ、例えば、洗濯機の展示情報、洗濯手順価格、所定の時間などを修正する。
【０１１４】
使用者が洗濯機の前に到着し、洗濯機がアイドルであり、洗濯機のスワイプモジュールが使用可能であり、即ちスワイプ情報を受信可能である場合、スワイプモジュールが使用者の第一回のスワイプ情報を受信した後、当面で当該機器を予約することができ、スワイプモジュールは、洗濯機のコンピューター制御パネルに対して洗濯機が予約された状態にあることを通知し、コンピューター制御パネルは本機のキーを有効となるように制御し（使用者が本機のキー操作を行うことができる）、使用者はキーによって洗濯プログラムを選択し、プログラムパラメータを設定する。設定した後、使用者は再度スワイプを行い、即ちスワイプモジュールが使用者からの第二回のスワイプ情報を受信した後、使用者により選択されたプログラム価格に基づいて料金控除を行うとともに、洗濯機のコンピューター制御パネルに対して洗濯機を動作し始めさせることを通知し、それと同時に、コンピューター制御パネルは本機のキー及びスワイプモジュールを使用不可能に変更するように制御し、即ち使用者からの操作情報を受信しなくなる。
【０１１５】
好ましくは、第二回のスワイプと第一回のスワイプの時間間隔に制限があり、時間間隔は１〜１０分であり、３分であることが好ましい。即ち、使用者はスワイプ予約した後、３分以内に衣類を洗濯機に投入し、洗濯プログラムを選択し、プログラムパラメータを設定した後、再度スワイプで料金控除を行い、料金を控除した後、洗濯機が自動的に洗濯を開始する。３分を超える場合、今回の予約は失効となり、洗濯機は自動的にアイドル状態に変わる。
【０１１６】
シーン２
シーン１を基に、遠隔クライアントのオンライン予約後の検証ステップが付加される。使用者が遠隔で予約した後、間違った機器を探し出して決済を行い、その後衣類を投入した機器が間違っていることに気づくことを防止する。
【０１１７】
遠隔でクライアントが洗濯機の予約に成功した後、使用者に対して衣類を持って機器番号及び配置位置に基づいて相応する機器を探し出すことを提示し、その後、検証合致ボタンをクリックすることで、サーバが検証コード（目標検証情報）をランダム生成するとともに、検証コード（目標検証情報）を洗濯機のコンピューター制御パネルに送信し、洗濯機が、検証コードを受信して検証コード（目標検証情報）を洗濯機の操作パネルに表示させる。
【０１１８】
使用者は、端末によって探し出した洗濯機に表示された検証コード（検証情報）を取得し、当該検証情報をサーバに送信して検証する。検証が成功した場合、探し出された機器が正確で、衣類を投入可能であると表明する。検証が失敗した場合、使用者に対して、入力された検証コードが間違っており、改めて入力してほしいことを提示するか、或いは探し出した機器が間違っており、正確な機器を改めて探して再検証する必要があることを提示する。
【０１１９】
シーン３
ネットワーク支払アカウントがないか、或いはネットワーク速度が不良でオンライン決済に適しない場合、使用者は、携帯電話クライアントにＩＣカード番号をバインドすることができる。サーバは使用者のアカウント及びＩＣカードのバインディング関係を記録する。使用者は決済時にスワイプ決済を選択すると、サーバは使用者のＩＣカード番号情報（目標カード標識）を洗濯機に送信し、洗濯機は本機のスワイプモジュールを使用可能にするように制御し、且つ当該ＩＣカードのスワイプ決済情報しか受信できない。使用者の本機でのスワイプによって料金控除が成功した後、洗濯機は自動的に動作し始める。
【０１２０】
使用者がＩＣカード番号をバインドした後、使用者によってＩＣカードスワイプ予約、スワイプ決済が選択されると、携帯電話クライアントのアカウントに注文情報が生成され、使用者は、携帯電話クライアントによって注文状態及び使用される洗濯機の動作状態を調べることができる。洗濯が終了した後、サーバにより送信された提示情報又はショートメッセージを受信可能である。
【０１２１】
実施例７
本発明の実施例において、実施例１と実施例２に係る方法を実現するための端末が提供される。図１４に示すように、前記端末は、
周囲の少なくとも一つの洗濯機の位置情報と状態情報を出力するための洗濯機位置情報出力手段１１、
使用者により選択された目標洗濯機を取得するための目標洗濯機取得手段１２、
サーバへ、使用者により入力された前記目標時間帯と前記目標洗濯機の標識を含む予約請求を送信することで、サーバが前記目標洗濯機をスケジューリングして前記目標時間帯に前記使用者に対して洗濯機能を提供するための予約請求送信手段１３、
前記サーバからフィードバックされた予約結果を受信するための予約結果受信手段１４、及び
前記予約結果受信手段１４により受信された前記予約結果を出力するための予約結果出力手段１５を含む。
【０１２２】
更に、図１５に示すように、前記端末は、
前記使用者の位置情報を取得するための使用者位置取得手段１６、
前記サーバへ、前記端末の位置情報が所持されている洗濯機位置及び状態取得請求を送信するための洗濯機位置及び状態請求手段１７、及び
前記サーバからフィードバックされた、前記使用者周囲の少なくとも一つの洗濯機の位置情報と状態情報とを含む洗濯機位置応答情報を受信するための洗濯機位置及び状態受信手段１８を更に含む。
【０１２３】
更に、図１６に示すように、
使用者がオンライン決済を選択すると、支払提示情報を出力するための支払い提示出力手段１９、
使用者が前記支払提示出力手段１９から出力された前記支払提示情報に基づいて入力した支払情報を受信するための支払情報受信手段１１０、及び
前記支払情報受信手段１１０により受信された前記支払情報を前記サーバに送信するための支払情報送信手段１１１を更に含む。
【０１２４】
更に、図１７に示すように、
周囲の少なくとも一つの洗濯機の機能情報、価格情報のうちの少なくとも一つを取得して出力するための洗濯機の他の情報取得手段１１２を更に含む。
【０１２５】
更に、図１８に示すように、
周囲の少なくとも一つの洗濯機の機能情報を取得して出力する場合、使用者が前記機能情報に基づいて入力した、前記目標洗濯機を洗濯させるように制御するために用いられる機能パラメータを受信するための機能パラメータ受信手段１１３、及び
前記機能パラメータ受信手段１１３により受信された前記機能パラメータを前記サーバに送信することで、前記サーバが前記機能パラメータに基づいて前記目標洗濯機をスケジューリングして洗濯するための機能パラメータ送信手段１１４を更に含む。
【０１２６】
更に、図１９に示すように、
使用者により送信された検証指令を受信するための検証指令受信手段１１５、
前記検証指令を前記サーバに送信することで、前記サーバが前記目標洗濯機に合致する目標検証情報を生成するための検証指令送信手段１１６、
洗濯機に表示された検証情報を取得するための洗濯機検証情報取得手段１１７、
前記洗濯機検証情報取得手段１１７により取得された前記検証情報を前記サーバに送信することで、前記サーバは前記検証情報が目標洗濯機に合致するか否かを検証するための検証情報送信手段１１８、及び
サーバからフィードバックされた検証結果を受信するための検証結果受信手段１１９を更に含む。
【０１２７】
実施例８
本発明の実施例において、実施例３と実施例４に係る方法を実現するためのサーバが提供される。図２０に示すように、前記サーバは、
端末により送信された、使用者により入力された目標時間帯と目標洗濯機の標識とを含む予約請求を受信するための予約請求受信手段２１、
前記目標洗濯機が前記目標時間帯にアイドル状態である場合、前記端末に予約成功情報を送信するための予約結果送信手段２２、及び
前記目標洗濯機に、前記目標洗濯機を目標時間帯に前記使用者に対して洗濯機能を提供するように制御するために用いられる制御情報を送信するための制御情報送信手段２３を更に含む。
【０１２８】
更に、図２１に示すように、
端末により送信された、前記端末の位置情報が所持されている洗濯機位置及び状態取得請求を受信するための洗濯機取得請求受信手段２４、
前記洗濯機取得請求受信手段２４により取得された前記端末の位置情報に基づき、前記端末周囲の少なくとも一つの洗濯機の位置情報を確定するための周囲洗濯機確定手段２５、及び
前記周囲洗濯機確定手段２５により確定された前記少なくとも一つの洗濯機の前記位置情報と状態情報を前記端末に送信するための洗濯機位置及び状態情報送信手段２６を更に含む。
【０１２９】
更に、図２２に示すように、
前記使用者が前記端末においてオンライン決済を選択すると、前記端末により送信された支払情報を受信するための支払情報受信手段２７、及び
前記支払情報受信手段２７により受信された前記支払情報に基づいて支払処理を行うための支払処理手段２８を更に含む。
【０１３０】
更に、図２３に示すように、
前記使用者が前記端末においてスワイプ決済を選択すると、前記目標洗濯機へ、前記使用者に関する目標カードの標識を送信するための目標カード標識送信手段２９を更に含む。
【０１３１】
更に、図２４に示すように、
目標領域において少なくとも一つの洗濯機の位置情報と、機能情報、価格情報のうちの少なくとも一つの情報とを取得するための洗濯機の他の情報取得手段２１０を更に含む。
【０１３２】
更に、図２５に示すように、
前記端末により送信された機能パラメータを受信するための機能パラメータ受信手段２１１、及び
前記機能パラメータを前記目標洗濯機に送信することで、前記目標洗濯機が前記機能パラメータに基づいて洗濯するための機能情報転送手段２１２を更に含む。
【０１３３】
更に、図２６に示すように、
前記端末により送信された検証指令を受信するためのサーバ検証指令受信手段２１３、
前記目標洗濯機に合致する目標検証情報を生成するための目標検証情報生成手段２１４、
前記端末により送信された検証情報を受信するための検証情報受信手段２１５、
前記検証情報が前記目標検証情報が同一であるか否かを判断するための検証手段２１６、及び
検証手段２１６が取得した判断結果を前記端末に送信するための判断結果送信手段２１７を更に含む。
【０１３４】
実施例９
本発明の実施例において、実施例５と実施例６に係る方法を実現するための洗濯機が提供され、前記洗濯機は目標洗濯機である。図２７に示すように、
サーバにより送信された、目標時間帯を含む制御情報を受信するための制御情報受信手段３１、及び
前記目標時間帯に使用者から投入された衣類を洗濯するための洗濯手段３２を更に含む。
【０１３５】
更に、図２８に示すように、
現地の位置情報を取得するための現地位置情報取得手段３３、
前記サーバへ前記現地位置情報取得手段３３により取得された前記位置情報を送信するための現地位置情報送信手段３４、及び
前記洗濯機の動作状態が変更した場合、変更された後の位置情報と状態情報を前記サーバに送信するための状態更新送信手段３５を更に含む。
【０１３６】
更に、図２９に示すように、
前記サーバにより送信された機能パラメータを受信するためのサーバ機能パラメータ受信手段３６を更に含む。
【０１３７】
相応に、前記洗濯手段３２は、前記機能パラメータに基づいて洗濯するために用いられる。
【０１３８】
好ましくは、代替として、
使用者が前記目標洗濯機に入力した機能パラメータを受信するための使用者機能パラメータ受信手段３７を更に含む。
【０１３９】
相応に、前記洗濯手段３２は、前記機能パラメータに基づいて洗濯するために用いられる。
【０１４０】
更に、図３０に示すように、
サーバにより送信された目標カードの標識を受信するための目標カード標識受信手段３８、
前記目標カードのスワイプ情報を検出した場合、前記目標カードに対して料金控除を行うための料金控除手段３９、及び
料金控除結果を前記サーバに送信することで、前記サーバは料金控除結果を端末に転送するための料金控除結果送信手段３１０を更に含む。
【０１４１】
相応に、前記洗濯機３２は、料金控除が成功した場合、前記目標時間帯に使用者から投入された衣類を洗濯するために用いられる。
【０１４２】
実施例１０
本発明の実施例において、セルフサービス洗濯機の制御システムが提供される。図３１に示すように、実施例７に係る端末４１、実施例８に係るサーバ４２及び少なくとも一つの実施例９に係る洗濯機４３を含む。
【０１４３】
なお、上記説明は本出願の好ましい実施例及び用いられる技術原理に過ぎない。当業者は、本出願がここに記載された特定な実施形態に限定されず、当業者は、本出願の保護範囲を逸脱しない前提で、各種の明らかな変更、調整及び置換を行うことができるということを理解すべきである。従って、上記実施例によって本発明を詳しく説明したが、本発明は上記実施例に限定されず、本出願の構想を逸脱しない場合、他の均等な実施例をより多く含んでもよく、本出願の範囲は、特許請求の範囲により決定される。
【図１】
2018524719.tif 000003
【図２】
2018524719.tif 000004
【図３】
2018524719.tif 000005
【図４】
2018524719.tif 000006
【図５】
2018524719.tif 000007
【図６】
2018524719.tif 000008
【図７】
2018524719.tif 000009
【図８】
2018524719.tif 000010
【図９】
2018524719.tif 000011
【図１０】
2018524719.tif 000012
【図１１】
2018524719.tif 000013
【図１２】
2018524719.tif 000014
【図１３】
2018524719.tif 000015
【図１４】
2018524719.tif 000016
【図１５】
2018524719.tif 000017
【図１６】
2018524719.tif 000018
【図１７】
2018524719.tif 000019
【図１８】
2018524719.tif 000020
【図１９】
2018524719.tif 000021
【図２０】
2018524719.tif 000022
【図２１】
2018524719.tif 000023
【図２２】
2018524719.tif 000024
【図２３】
2018524719.tif 000025
【図２４】
2018524719.tif 000026
【図２５】
2018524719.tif 000027
【図２６】
2018524719.tif 000028
【図２７】
2018524719.tif 000029
【図２８】
2018524719.tif 000030
【図２９】
2018524719.tif 000031
【図３０】
2018524719.tif 000032
【図３１】
2018524719.tif 000033
【国際調査報告】
2018524719.tif 000034
2018524719.tif 000035
2018524719.tif 000036
2018524719.tif 000037